(57)【要約】【課題】  色変換を実行する色変換システム、色変換装置、およびコンピュータシステムに組み込まれてそのコンピュータシステムに色変換を実行させる色変換プログラムに関し、本来の目的にかなった色変換を実行すると共に、好みに応じた色修正も容易に実行する。【解決手段】  色の明度レンジを補正するレンジ補正を操作に応じて定義する補正定義部と、  補正定義部によって定義されたレンジ補正を、色変換が施される複数の変換対象に施すレンジ補正部とを備えるか、あるいは、  第１のデバイス色空間および第２のデバイス色空間の少なくとも一方におけるゲイン調整を、操作に応じて、第１の色変換定義および第２の色変換定義とは別に定義するゲイン定義部と、  ゲイン定義部によって定義されたゲイン調整を、上記色変換が施される複数の変換対象に施すゲイン調整部とを備えている。【選択図】        図４
2005244607.tif 000002
【特許請求の範囲】
【請求項１】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行する色変換システムにおいて、
色の明度レンジを補正するレンジ補正を操作に応じて定義する補正定義部と、
前記補正定義部によって定義されたレンジ補正を、前記色変換が施される複数の変換対象に施すレンジ補正部とを備えたことを特徴とする色変換システム。
【請求項２】
前記補正定義部が、レンジ補正におけるハイライト及び又はシャドーの目標値を操作に応じて定義するものであることを特徴とする請求項１記載の色変換システム。
【請求項３】
前記補正定義部が、レンジ補正における補正強度を操作に応じて定義するものであることを特徴とする請求項１記載の色変換システム。
【請求項４】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行する色変換システムにおいて、
前記第１のデバイス色空間および前記第２のデバイス色空間の少なくとも一方におけるゲイン調整を、操作に応じて、前記第１の色変換定義および前記第２の色変換定義とは別に定義するゲイン定義部と、
前記ゲイン定義部によって定義されたゲイン調整を、前記色変換が施される複数の変換対象に施すゲイン調整部とを備えたことを特徴とする色変換システム。
【請求項５】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行する色変換装置において、
色の明度レンジを補正するレンジ補正を定義した補正定義を入手する補正定義入手部と、
前記補正定義入手部で入手された補正定義によって定義されたレンジ補正を、前記色変換が施される複数の変換対象に施すレンジ補正部とを備えたことを特徴とする色変換装置。
【請求項６】
前記補正定義が、前記第１の色変換定義および前記第２の色変換定義として複数の色変換定義を指定した色変換定義指定に対応付けられたものであり、
前記レンジ補正部が、前記補正定義によって定義されたレンジ補正を、その補正定義が対応付けられている色変換定義指定によって指定された色変換定義に基づいた色変換が施される変換対象に施すものであることを特徴とする請求項５記載の色変換装置。
【請求項７】
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行する色変換装置において、
前記第１のデバイス色空間および前記第２のデバイス色空間の少なくとも一方におけるゲイン調整を、前記第１の色変換定義および前記第２の色変換定義とは別に定義したゲイン定義を入手するゲイン定義入手部と、
前記ゲイン定義入手部で入手されたゲイン定義によって定義されたゲイン調整を、前記色変換が施される複数の変換対象に施すゲイン調整部とを備えたことを特徴とする色変換装置。
【請求項８】
前記ゲイン定義が、前記第１の色変換定義および前記第２の色変換定義として複数の色変換定義を指定した色変換定義指定に対応付けられたものであり、
前記ゲイン調整部が、前記ゲイン定義によって定義されたゲイン調整を、そのゲイン定義が対応付けられている色変換定義指定によって指定された色変換定義に基づいた色変換が施される変換対象に施すものであることを特徴とする請求項７記載の色変換装置。
【請求項９】
コンピュータシステムに組み込まれ、該コンピュータシステムに、
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行させる色変換プログラムにおいて、
前記コンピュータシステム上に
色の明度レンジを補正するレンジ補正を定義した補正定義を入手する補正定義入手部と、
前記補正定義入手部で入手された補正定義によって定義されたレンジ補正を、前記色変換が施される複数の変換対象に施すレンジ補正部とを構成することを特徴とする色変換プログラム。
【請求項１０】
コンピュータシステムに組み込まれ、該コンピュータシステムに、
第１のデバイスに依存した第１のデバイス色空間とデバイスに非依存の非依存色空間との間における色変換を定義した第１の色変換定義と、第２のデバイスに依存した第２のデバイス色空間と前記非依存色空間との間における色変換を定義した第２の色変換定義とに基づいた、前記第１のデバイス色空間と前記第２のデバイス色空間との間の色変換を実行させる色変換プログラムにおいて、
前記コンピュータシステム上に
前記第１のデバイス色空間および前記第２のデバイス色空間の少なくとも一方におけるゲイン調整を、前記第１の色変換定義および前記第２の色変換定義とは別に定義したゲイン定義を入手するゲイン定義入手部と、
前記ゲイン定義入手部で入手されたゲイン定義によって定義されたゲイン調整を、前記色変換が施される複数の変換対象にすゲイン調整部とを構成することを特徴とする色変換プログラム。
【発明の詳細な説明】
【技術分野】
【０００１】
本発明は、色変換を実行する色変換システム、色変換装置、およびコンピュータシステムに組み込まれてそのコンピュータシステムに色変換を実行させる色変換プログラムに関する。
【背景技術】
【０００２】
例えば印刷の分野などでは、従来より、スキャナやデジタルスチルカメラなどといった入力デバイスによって原稿を取り込み、画像を表した画像データや、画像や文字や図形などが配置された印刷物のページを記述したページデータなどを作成し、それら画像データやページデータに基づいてプリンタや印刷システムなどといった出力デバイスによって印刷物を出力する入力＿編集＿出力システムが知られている。このような入力＿編集＿出力システムには、画像や文字の色が印刷物上で適切な色になるように画像データやページデータに色変換を施すための色変換装置や色変換プログラムが組み込まれていることが一般的である。
【０００３】
この色変換装置や色変換プログラムにおける色変換では、原稿の画像などを取り込むために用いられた入力デバイスに依存したデバイス色空間（例えばＲＧＢ色空間やＣＭＹＫ色空間）とデバイスに非依存の共通色空間（例えばＬａｂ色空間やＬＣＨ色空間）との間の色変換を定義した色変換定義（入力プロファイル）や、印刷物の出力に用いられる出力デバイスに依存したデバイス色空間と共通色空間との間の色変換を定義した色変換定義（出力プロファイル）が用いられる。これらの色変換定義は、各入力デバイスや各出力デバイスにおける色再現特性に依存した色変換を定義したものであって、入力デバイスや出力デバイスの機種毎に用意され、あるいは同種のデバイスについても個々の装置毎に用意され、更にあるいは同一の装置についても用紙やインクの違いを考慮した入出力条件毎に用意される場合もある。
【０００４】
そして、これらの色変換定義が結合された、デバイス空間相互間の色変換を定義した色変換定義（デバイスリンクプロファイル）が作成されて色変換が実行される（例えば、特許文献１参照。）。
【０００５】
色変換定義の結合に際しては、共通色空間を介して単純に結合すると、各デバイスによる表現可能な色の範囲の相違に起因した不都合が生じる場合があるので、そのような相違を吸収するための修正が、結合される各色変換定義に基づいて行われることが多い（例えば、特許文献２参照。）。
【０００６】
一方で、画像の色味調整などのために、色変換の対象となる個々の画像データやページデータに色修正を施す技術も知られている（例えば、特許文献３参照。）。
【特許文献１】特開２００２−１３９３８１号公報
【特許文献２】特開平４−１９６６７５号公報
【特許文献３】特開平９−８３８２４号公報
【発明の開示】
【発明が解決しようとする課題】
【０００７】
色変換定義自体の修正は、修正目的に対応して一意的に決まる修正であることが一般的である。一方、個々のデータを対象とした修正の場合には、編集者などの趣向が反映された手動操作による修正であることが一般的である。
【０００８】
しかし、例えば１冊の印刷物を構成する各ページについて、編集者の趣向などに従った共通の色調となるような色修正を施すという要望もある。
【０００９】
このような要望に応えるために、個々のデータを対象とした従来の修正を応用することを考えると、個々のデータに対する手動操作が煩雑であるという問題が生じる。
【００１０】
また、入力デバイスや出力デバイスに対応した色変換定義が個人などの好みに応じて修正されてしまうと色変換定義は、デバイスの色再現能力などを反映したものとはならなくなるので、本来の色変換定義の使用目的に使うことが困難となるという問題を生じる。
【００１１】
このような問題は、前述の入力＿編集＿出力システムに限定された問題ではなく、プロファイルに基づいた色変換を行うための色変換装置や色変換プログラムにおいて一般的に生じる問題である。
【００１２】
本発明は上記事情に鑑み、本来の目的にかなった色変換が実行されると共に、好みに応じた色修正も容易に実行可能な色変換システム、色変換装置、およびコンピュータシステムにそのような色変換などを実行させる色変換プログラムを提供することを目的とする。
【課題を解決するための手段】
【００１３】
上記目的を達成する本発明の第１の色変換システムは、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行する色変換システムにおいて、
色の明度レンジを補正するレンジ補正を操作に応じて定義する補正定義部と、
補正定義部によって定義されたレンジ補正を、上記色変換が施される複数の変換対象に施すレンジ補正部とを備えたことを特徴とする。
【００１４】
本発明の第１の色変換システムでは、複数の変換対象に施されるレンジ補正が補正定義部で操作に応じて定義される。そして、その定義されたレンジ補正が、第１の色変換定義および第２の色変換定義に基づいた本来の目的の色変換が施される対象に施される。従って、本発明の第１の色変換システムによれば、本来の目的の色変換が実行されると共に、個人の好みに応じたレンジ補正を複数の変換対象に対して定義して容易に実行することができる。
【００１５】
本発明の第１の色変換システムは、
上記補正定義部が、レンジ補正におけるハイライト及び又はシャドーの目標値を操作に応じて定義するものであってもよく、あるいは
上記補正定義部が、レンジ補正における補正強度を操作に応じて定義するものであってもよい。
【００１６】
上記目的を達成する本発明の第２の色変換システムは、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行する色変換システムにおいて、
第１のデバイス色空間および第２のデバイス色空間の少なくとも一方におけるゲイン調整を、操作に応じて、第１の色変換定義および第２の色変換定義とは別に定義するゲイン定義部と、
ゲイン定義部によって定義されたゲイン調整を、上記色変換が施される複数の変換対象に施すゲイン調整部とを備えたことを特徴とする。
【００１７】
本発明の第２の色変換システムでは、複数の変換対象に施されるゲイン調整がゲイン定義部で操作に応じて定義される。そして、その定義されたゲイン調整が、第１の色変換定義および第２の色変換定義に基づいた本来の目的の色変換が施される対象に施される。従って、本発明の第２の色変換システムによれば、本来の目的の色変換が実行されると共に、個人の好みに応じたゲイン調整を複数の変換対象に対して定義して容易に実行することができる。
【００１８】
上記目的を達成する本発明の第１の色変換装置は、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行する色変換装置において、
色の明度レンジを補正するレンジ補正を定義した補正定義を入手する補正定義入手部と、
補正定義入手部で入手された補正定義によって定義されたレンジ補正を、上記色変換が施される複数の変換対象に施すレンジ補正部とを備えたことを特徴とする。
【００１９】
本発明の第１の色変換装置によれば、複数の変換対象に施されるレンジ補正を定義した補正定義が入手されて、そのレンジ補正が、本来の目的の色変換が施される対象に施される。従って、この色変換装置のユーザは、補正定義という形式でレンジ補正を定義することで、本来の目的の色変換を実行させると共に、個人の好みに応じたレンジ補正を複数の変換対象に対して実行させることができる。
【００２０】
本発明の第１の色変換装置において、
「  上記補正定義が、上記第１の色変換定義および上記第２の色変換定義として複数の色変換定義を指定した色変換定義指定に対応付けられたものであり、
上記レンジ補正部が、補正定義によって定義されたレンジ補正を、その補正定義が対応付けられている色変換定義指定によって指定された色変換定義に基づいた色変換が施される変換対象に施すものである」
という形態は好適である。
【００２１】
このような好適な形態の第１の色変換装置によれば、補正定義が定義したレンジ補正が、色変換定義指定が指定した色変換定義による色変換とともに実行されることとなるので、この色変換装置がレンジ補正を望んだ一部の色変換タイプに対応づけてレンジ補正を実行させることができる。
【００２２】
上記目的を達成する本発明の第２の色変換装置は、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行する色変換装置において、
第１のデバイス色空間および第２のデバイス色空間の少なくとも一方におけるゲイン調整を、上記第１の色変換定義および上記第２の色変換定義とは別に定義したゲイン定義を入手するゲイン定義入手部と、
ゲイン定義入手部で入手されたゲイン定義によって定義されたゲイン調整を、上記色変換が施される複数の変換対象に施すゲイン調整部とを備えたことを特徴とする。
【００２３】
本発明の第２の色変換装置によれば、複数の変換対象に施されるゲイン調整を定義したゲイン定義が入手されて、そのゲイン調整が、本来の目的の色変換が施される対象に施される。従って、この色変換装置のユーザは、ゲイン定義という形式でゲイン調整を定義することで、本来の目的の色変換を実行させると共に、個人の好みに応じたゲイン調整を複数の変換対象に対して実行させることができる。
【００２４】
本発明の第２の色変換装置において、
「  上記ゲイン定義が、上記第１の色変換定義および上記第２の色変換定義として複数の色変換定義を指定した色変換定義指定に対応付けられたものであり、
上記ゲイン調整部が、ゲイン定義によって定義されたゲイン調整を、そのゲイン定義が対応付けられている色変換定義指定によって指定された色変換定義に基づいた色変換が施される変換対象に施すものである」
という形態は好適である。
【００２５】
このような好適な形態の第２の色変換装置によれば、ゲイン定義が定義したゲイン調整が、色変換定義指定が指定した色変換定義による色変換とともに実行されることとなるので、この色変換装置がゲイン調整を望んだ一部の色変換タイプに対応づけてゲイン調整を実行させることができる。
【００２６】
上記目的を達成する本発明第１の色変換プログラムは、
コンピュータシステムに組み込まれ、そのコンピュータシステムに、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行させる色変換プログラムにおいて、
上記コンピュータシステム上に
色の明度レンジを補正するレンジ補正を定義した補正定義を入手する補正定義入手部と、
補正定義入手部で入手された補正定義によって定義されたレンジ補正を、上記色変換が施される複数の変換対象に施すレンジ補正部とを構成することを特徴とする。
【００２７】
本発明の第１の色変換プログラムによれば、本発明の第１の色変換装置の構成要素がコンピュータシステムによって容易に構成される。
【００２８】
上記目的を達成する本発明第２の色変換プログラムは、
コンピュータシステムに組み込まれ、そのコンピュータシステムに、
第１のデバイスに依存した第１のデバイス色空間とデバイスに非依存の非依存色空間との間における色変換を定義した第１の色変換定義と、第２のデバイスに依存した第２のデバイス色空間と非依存色空間との間における色変換を定義した第２の色変換定義とに基づいた、その第１のデバイス色空間とその第２のデバイス色空間との間の色変換を実行させる色変換プログラムにおいて、
上記コンピュータシステム上に
第１のデバイス色空間および第２のデバイス色空間の少なくとも一方におけるゲイン調整を、上記第１の色変換定義および上記第２の色変換定義とは別に定義したゲイン定義を入手するゲイン定義入手部と、
ゲイン定義入手部で入手されたゲイン定義によって定義されたゲイン調整を、上記色変換が施される複数の変換対象にすゲイン調整部とを構成することを特徴とする。
【００２９】
本発明の第２の色変換プログラムによれば、本発明の第２の色変換装置の構成要素がコンピュータシステムによって容易に構成される。
【００３０】
なお、本発明にいう色変換プログラムについては、ここではその基本形態のみを示すのにとどめるが、これは単に重複を避けるためであり、本発明にいう色変換プログラムには、上記の基本形態のみではなく、前述した色変換装置の各形態に対応する各種の形態が含まれる。
【００３１】
また、本発明の色変換プログラムが組み込まれるコンピュータシステムは、１台のコンピュータと周辺機器からなるものであってもよく、あるいは複数台のコンピュータを含むものであってもよい。
【００３２】
さらに、本発明の色変換プログラムがコンピュータ上に構成するレンジ補正部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００３３】
以上説明したように、本発明によれば、本来の目的にかなった色変換が実行されると共に、個人の好みに応じた色修正も容易に実行可能となる。
【発明を実施するための最良の形態】
【００３４】
以下図面を参照して本発明の実施の形態を説明する。
【００３５】
図１は、本発明の一実施形態が適用された入力＿編集＿出力システムの全体構成図である。
【００３６】
ここには、本発明の色変換装置の一実施形態として動作する１台の色変換サーバ１００と、３台のクライアントマシン２００，２１０，２２０と、２台のＲＩＰ（Ｒａｓｔｅｒ  Ｉｍａｇｅ  Ｐｒｏｃｅｓｓｏｒ）サーバ３００，３１０と、１台のスキャナ４００と、３台の画像出力用のプリンタ６００，６１０，６２０とが示されている。
【００３７】
図１に示す各マシンの中で、色変換サーバ１００、クライアントマシン２００，２１０，２２０、ＲＩＰ３００，３１０，およびスキャナ４００は通信回線５００を介して相互に接続されて、ＬＡＮ（Ｌｏｃａｌ  Ａｒｅａ  Ｎｅｔｗｏｒｋ）を構成している。また、プリンタ６００，６１０はＲＩＰサーバ３００に接続され、プリンタ６２０はＲＩＰサーバ３１０に接続されている。
【００３８】
スキャナ４００は、用紙上の画像を読み取り、画像を表す画像データを生成する。生成された画像データは、通信回線５００を介してクライアントマシン２００，２１０，２２０などに送られる。
【００３９】
クライアントマシン２００，２１０，２２０は、それぞれ小型のワークステーションまたはパーソナルコンピュータなどで構成されており、スキャナ４００で原稿が読みとられて生成された画像データや、デジタルカメラ（図示しない）で撮影された撮影画像に基づく画像データなどが入力される。クライアントマシン２００，２１０，２２０では、オペレータにより、文字や図形や画像等といった要素が配置されたページや単独の画像が電子的に編集され、編集されたページや画像を表すページデータや画像データが生成される。このように生成されたデータは、例えば１冊の印刷物を構成するような一連のデータ毎に１ジョブとしてまとめられ、そのジョブ単位で、通信回線５００を介して色変換サーバ１００に送られる。
【００４０】
色変換サーバ１００は、クライアントマシン２００，２１０，２２０などと比べて大型なワークステーションまたはパーソナルコンピュータ等で構成されており、各クライアントマシン２００，２１０，２２０からページデータなどが送られてくると、それらのデータに色変換処理を施す。色変換処理の詳細は後に譲るが、色変換サーバ１００は、いわゆるジョブチケットに従って色変換処理を実行するものであり、上述の各クライアントマシン２００，２１０，２２０は、ジョブチケットを編集して色変換サーバ１００に登録する機能も有している。色変換サーバ１００は、送られてきたジョブの各データに対し、ジョブチケットに従った色変換処理を施す。
【００４１】
ところで、このページデータや画像データは、このままではプリンタ６００，６１０，６２０などの出力デバイスで出力することができない形式のデータである。このため、色変換処理が施されたデータは、出力デバイスではなく、まずはＲＩＰサーバ３００，３１０に送られる。
【００４２】
ＲＩＰサーバ３００，３１０は、それぞれ小型のワークステーションまたはパーソナルコンピュータなどで構成されている。色変換サーバ１００から色変換処理が施されたページデータなどが送られてくると、ＲＩＰサーバ３００，３１０はページデータなどに網点化処理を施して、各プリンタ６００，６１０，６２０で出力可能な網点形式のビットマップデータに変換する。変換後のビットマップデータは、プリンタ６００，６１０，６２０に入力され、プリンタ６００，６１０，６２０では、その入力されたビットマップデータに基づく出力画像が作成される。
【００４３】
この図１に示す入力＿編集＿出力システムを構成する各マシンのうち、色変換サーバ１００およびクライアントマシン２００，２１０，２２０に対して本発明の実施形態が適用されている。また、これらのマシンにおける本発明の実施形態としての特徴は、それらのマシン内で実行される処理にあるので、ここでは、これらのマシンのハードウェア構成について、色変換サーバ１００を代表させて説明する。
【００４４】
図１に示すように、色変換サーバ１００は、外観構成上、本体装置１０１、本体装置１０１からの指示に応じて表示画面１０２ａ上に画像や文字などを表示する画像表示装置１０２、本体装置１０１にキー操作に応じた各種の情報を入力するキーボード１０３、および、表示画面１０２ａ上の任意の位置を指定することにより、その位置に表示されている例えばアイコン等に応じた指示を入力するマウス１０４を備えている。また、本体装置１０１は、外観上、フレキシブルディスク（以下、ＦＤと省略する）を装填するためのＦＤ装填口１０１ａ、およびＣＤ−ＲＯＭを装填するためのＣＤ−ＲＯＭ装填口１０１ｂを有する。
【００４５】
図２は、図１に示す色変換サーバに代表されるコンピュータシステムのハードウェア構成図である。
【００４６】
図１に示す色変換サーバ１００の本体装置１０１の内部には、図２に示すように、各種プログラムを実行するＣＰＵ１１１、各種プログラムやデータ等が保存されたハードディスク装置１１３、ハードディスク装置１１３に格納されたプログラムが読み出されＣＰＵ１１１での実行のために展開される主メモリ１１２、ＦＤ１０をアクセスするＦＤドライブ１１４、ＣＤ−ＲＯＭ２０が装填され、その装填されたＣＤ−ＲＯＭ２０をアクセスするＣＤ−ＲＯＭドライブ１１５、図１の通信回線５００に接続され、他のマシンとの通信を制御する通信インタフェース１１７が内蔵されており、これらと、さらに図１にも示す画像表示装置１０２、キーボード１０３、マウス１０４は、バス１１０を介して相互に接続されている。
【００４７】
ここで、ＣＤ−ＲＯＭ２０には、図１に示す入力＿編集＿出力システム上に本発明の色変換システムの一実施形態を構築するための各プログラムが記憶されている。このＣＤ−ＲＯＭ２０はＣＤ−ＲＯＭドライブ１１５に装填され、そのＣＤ−ＲＯＭ２０に記憶された色変換プログラムがこの色変換サーバ１００にアップロードされてハードディスク装置１１３に記憶される。また、図１の通信回線５００を介して各クライアントマシン２００，２１０，２２０に、必要なプログラムがダウンロードされる。そして、各マシンに記憶された各プログラムが起動されて実行されることにより、入力＿編集＿出力システムは、本発明の色変換システムの一実施形態として動作し、色変換サーバ１００は、本発明の色変換装置の一実施形態として動作し、各クライアントマシン２００，２１０，２２０は、本発明にいう補正定義部およびゲイン定義部の一例に相当するジョブチケット編集装置として動作する。なお、各クライアントマシン２００，２１０，２２０にプログラムを導入する方式は、ここで例示した通信回線５００を介したダウンロードの方式に限られず、例えばＣＤ−ＲＯＭなどに記憶されて各クライアントマシン２００，２１０，２２０に直接アップロードされる方式であってもよい。
【００４８】
入力＿編集＿出力システム上に本発明の色変換システムの一実施形態を構築するための各プログラムについて以下説明する。
【００４９】
図３は、入力＿編集＿出力システム上に本発明の色変換システムの一実施形態を構築するための各プログラムを記憶した記憶媒体を示す図である。
【００５０】
この図３に示すプログラム記憶媒体３０は、プログラムが記憶された記憶媒体であればその種類を問うものではなく、例えばＣＤ−ＲＯＭにプログラムが格納されているときはそのＣＤ−ＲＯＭを指し、そのプログラムがローディングされてハードディスク装置に記憶されたときはそのハードディスク装置を指し、あるいはそのプログラムがフレキシブルディスクにダウンロードされたときはそのフレキシブルディスクを指す。
【００５１】
上述したように、本実施形態では、クライアントマシンをジョブチケット編集装置として動作させるジョブチケット編集プログラム４０と、色変換サーバ１００を本発明の色変換装置の一実施形態として動作させる色変換プログラム５０が１つのプログラム記憶媒体３０に記憶されている。
【００５２】
色変換プログラム５０は、入力処理部５１と、色処理部６０と、出力処理部５５と、制御部５６とから構成されており、このうち色処理部６０は、更にリンクプロファイル作成部６１と色処理実行部６２とから構成されている。
【００５３】
これらのプログラム４０，５０の各要素の詳細については後で説明する。
【００５４】
図４は、図１に示す入力＿編集＿出力システム上に構築された本発明の色変換システムの一実施形態の機能を示す機能ブロック図である。
【００５５】
この図４には、ジョブチケット編集装置２５０、ジョブチケット記憶装置１２０、および色変換装置１３０で構成された色変換システムが示されており、ジョブチケット編集装置２５０は、図３に示すジョブチケット編集プログラム４０が図１に示すクライアントマシン２００，２１０，２２０にインストールされて実行されることにより構成されるものである。また、色変換装置１３０は、図３に示す色変換プログラム５０が図１に示す色変換サーバ１００にインストールされて実行されることにより構成されるものであり、ジョブチケット記憶装置１２０は、図２に示すハードディスク装置１１３によって担われるものである。
【００５６】
色変換装置１３０は、入力処理部１３１と、色処理部１４０と、出力処理部１３５と、制御部１３６と、プロファイル記憶部１３７とから構成されており、このうち色処理部１４０は、更にリンクプロファイル作成部１４１と色処理実行部１４２とから構成されている。これらの構成要素のうち、入力処理部１３１、色処理部１４０、出力処理部１３５、および制御部１３６は、図３に示す色変換プログラム５０を構成する入力処理部５１、色処理部６０、出力処理部５５、および制御部５６によって構築されるものである。このように、図３に示す色変換プログラム５０の要素と図４に示す色変換装置１３０の要素とは互いに対応しているが、図４の各要素は、コンピュータシステムのハードウェアとそのコンピュータシステムで実行されるＯＳやアプリケーションプログラムとの組合せで構成されているのに対し、図３の各要素は、アプリケーションプログラムのみにより構成されている点が異なる。
【００５７】
上述したように、ジョブチケット編集装置２５０は、本発明にいう補正定義部およびゲイン定義部の一例に相当する。また、色変換装置１３０を構成する各要素のうち、制御部１３６は、本発明にいう補正定義入手部およびゲイン定義入手部の一例に相当し、色処理部１４０には、本発明にいうレンジ補正部およびゲイン調整部の一例に相当する機能が組み込まれている。また、ジョブチケット編集装置２５０で編集されてジョブチケット記憶装置１２０に登録されるジョブチケット１２１は、本発明にいう補正定義とゲイン定義と色変換定義指定とを含んだものであり、プロファイル記憶部１３７には、本発明にいう色変換定義の一例に相当する入力プロファイルや出力プロファイルが記憶される。
【００５８】
以下、図４に示す各要素を説明することによって、図３に示す各プログラム４０，５０の各要素も合わせて説明する。
【００５９】
先ず、色変換装置１３０の各要素について説明する。以下では、説明の便宜上、色変換装置１３０に入力されるデータは、ＲＧＢ色空間で色が表現されたＲＧＢソースのデータか、あるいはＣＭＹＫ色空間で色が表現されたＣＭＹＫソースのデータであり、色変換装置１３０から出力されるデータはＣＭＹＫ色空間で色が表現されたデータであるものとする。
【００６０】
色変換装置１３０における色変換処理には、大きく分けて、入力処理、色処理、および出力処理という３つの処理が含まれており、上述したジョブチケットによって指定される入力フォルダに送られてくるジョブに対して各処理を施して、ジョブチケットによって指定される出力フォルダに出力する。
【００６１】
入力処理部１３１は入力処理を実行するものであり、ジョブチケットが指定している入力フォルダにジョブが入力されたことを受けてそのジョブの各データを後段の処理に順次に送る。
【００６２】
色処理部１４０は、色処理を実行するものであり、リンクプロファイル作成部１４１で、プロファイル記憶部１３７に記憶されている入力プロファイルと出力プロファイルとを結合してリンクプロファイルを作成し、色処理実行部１４２で、そのリンクプロファイルで定義された通りに色を変換する。結合される入力プロファイルと出力プロファイルは、ジョブチケット中で指定されている。また、色処理部１４０は、リンクプロファイルを作成する際に、画像中のハイライト点およびシャドー点を解析し、それらハイライト点およびシャドー点の明度が適切な明度となるように色の明度レンジを補正するレンジ補正も実行する。このレンジ補正の定義は、後述するようにジョブチケット編集装置２５０でオペレータの操作に従って設定されてジョブチケット中に組み込まれている。更に、色処理部１４０は、リンクプロファイルを作成する際に、入力ソースの色空間（ここではＲＧＢ色空間あるいはＣＭＹＫ色空間）および出力ソースの色空間（ここではＣＭＹＫ色空間）におけるゲイン調整も行う。このゲイン調整を定義した調整カーブもジョブチケット編集装置２５０でオペレータの操作に従って設定されてジョブチケット中に組み込まれている。
【００６３】
出力処理部１３５は出力処理を実行するものであり、色変換処理の各処理を経たデータを、ジョブチケットが指定している出力フォルダに出力する。
【００６４】
制御部１３６は、ジョブチケット記憶装置１２０に登録されているジョブチケット１２１を入手して、そのジョブチケット１２１の内容に従って各要素における処理を制御する。
【００６５】
色変換装置１３０では、このように色変換処理が実行される。一方、ジョブチケット編集装置２５０には、ジョブチケット１２１を編集するための各種のＧＵＩが用意されており、そのＧＵＩをオペレータが操作することによってジョブチケットが編集される。従って、オペレータは、ジョブチケットの編集によってゲイン調整やレンジ補正などを自由に設定することができるとともに、そのジョブチケットによって指定された入力フォルダにジョブを送ることによって複数の入力データに好みの色修正を容易に施すことができる。
【００６６】
以下、各ＧＵＩについて具体的に説明する。
【００６７】
図５は、ジョブチケットの編集画面を示す図である。
【００６８】
ここに示すジョブチケット編集画面７００は、編集対象のジョブチケットの名称が決まると開かれる画面であり、このジョブチケット編集画面７００は、入力タブ７１０、カラータブ７２０、画像出力タブ７３０、ページ出力タブ７４０、および出力タブ７５０という５つのタブから構成されている。入力タブ７１０では上述した入力フォルダの設定が行われ、カラータブ７２０では、後で詳述するように、色変換処理に関連する各種のパラメータが設定され、画像出力タブ７３０では、単独の画像を表した画像データに対するフォーマット変換や解像度変換が設定される。また、ページ出力タブ７４０では、ページを記述したページデータについてデータ種別や画像間引きが設定され、出力タブ７５０では、上述した出力フォルダの設定や出力フォルダに出力されるファイルのファイル名テンプレートの設定などが行われる。
【００６９】
上述したカラータブ７２０には、標準ボタン７６０と詳細ボタン７７０が設けられており、これらのボタンがクリックされることによってカラータブ７２０の画面が標準画面と詳細画面とに切り換わる。
【００７０】
ジョブチケット編集画面７００の右下にはＯＫボタン７８０とキャンセルボタン７９０が設けられており、ＯＫボタン７８０がクリックされると、ジョブチケット編集画面７００で設定された内容のジョブチケットが図４のジョブチケット記憶装置１２０に登録される。また、キャンセルボタン７９０がクリックされると、ジョブチケット編集画面７００で設定されたすべての内容が取り消される。
【００７１】
この図５にはカラータブ７２０の標準画面が示されており、この標準画面では、色変換のモード設定、プロファイルの選択、特色処理の設定などが行われる。
【００７２】
標準画面の右上には、ページデータ中の、図形やイラストなどというようなベクトルデータ部品のカラー処理方法を、画像部品に対する色変換処理と同じ処理にするか、あるいは文字部品に対する色変換処理と同じ処理にするかを選択するイラスト分類選択欄７６１が設けられている。標準画面の中央には、ＲＧＢソースの入力データに対する各種設定が行われるＲＧＢ設定部７６２と、ＣＭＹＫソースの入力データに対する各種設定が行われるＣＭＹＫ設定部７６３とが上下に並んで設けられている。標準画面の下方には、出力プロファイルを選択する出力プロファイル選択欄７６４と、特色をプロセスカラーで再現する方式を、特色のデータベースに登録されている分解値を用いるデータベース優先方式か、あるいは入力ジョブ中に指定されている代替カラー値をそのまま用いるジョブ指定優先方式に選択的に設定する特色マッチ設定欄７６５と、シャドー部における最大のインク総量を２４０％、２８０％、３２０％、３６０％、および４００％（総量制限無し）のなかから選択的に設定するインク総量設定欄７６６とが設けられている。
【００７３】
上述したＲＧＢ設定部７６２には、入力データ中に指定されている色空間を維持する「受け込み指定優先」を選択するチェックボックス７６２＿１、ＲＧＢソースを一旦ＣＭＹＫソースに変換してから色変換を施す「ＣＭＹＫソースへの変換」を選択するチェックボックス７６２＿２、画像部品及び文字部品それぞれに対する色処理に用いられる入力プロファイルを選択する入力プロファイル選択欄７６２＿３、画像部品及び文字部品それぞれにおける色再現のモードを選択する色再現選択欄７６２＿４、およびＲＧＢ画像のシャープ感を向上させる程度を設定するシャープネス設定欄７６２＿５が設けられている。
【００７４】
また、上述したＣＭＹＫ設定部７６３には、「受け込み指定優先」を選択するチェックボックス７６３＿１、画像部品及び文字部品それぞれに対する色処理に用いられる入力プロファイルを選択する入力プロファイル選択欄７６３＿２、画像部品及び文字部品それぞれにおける色再現のモードを選択する色再現選択欄７６３＿３、およびＣＭＹＫソースにおける０％や１００％などを出力データでも再現する各種の保存モードを選択するための３つのチェックボックス７６３＿４が設けられている。
【００７５】
図６は、カラー設定の詳細画面を示す図である。
【００７６】
図６には、詳細ボタン７７０がクリックされたときに表示される詳細画面が示されており、この詳細画面には、ゲイン調整のための調整カーブ（ゲインカーブ）を選択的に設定するゲイン調整設定部７７１が設けられている。この調整カーブは、本発明にいうゲイン定義の一例に相当する。また、この詳細画面には、ＲＧＢソースに対するオートセットアップを設定するＲＧＢ変換設定部７７２と、入力デバイスの色再現領域（ガマット）と出力デバイスの色再現領域（ガマット）との差が大きい場合にその差を縮めるためのＫ版インクの追加量を設定する大差異ガマット変換設定部７７３が設けられている。
【００７７】
ゲイン調整設定部７７１には、ＲＧＢソース用かＣＭＹＫソース用か、入力データ用か出力データ用か、画像部品用か文字部品用か、に応じた２＾３＝８種類のゲインカーブそれぞれを選択的に設定する８つのゲインカーブ設定欄７７４が用意されており、ＲＧＢ変換設定部７７２には、オートセットアップの内容を定義した、本発明にいう補正定義の一例を含んだセットアッププロファイルを選択的に設定するセットアッププロファイル設定欄７７５が用意されている。
【００７８】
大差異ガマット変換設定部７７３には、Ｋ版インクの追加を開始する開始点を指定するＫ開始点指定欄７７６と、Ｋ版インクの追加量を設定するＫ追加量設定部７７７が用意されている。
【００７９】
次に、ゲイン調整設定部７７１で選択されるゲインカーブ、およびセットアッププロファイル設定欄７７５で選択されるセットアッププロファイルそれぞれを作成するためのＧＵＩについて説明する。
【００８０】
図７は、ゲインカーブ編集画面を示す図である。
【００８１】
この図に示すゲインカーブ編集画面８００には、ゲインカーブの名称が表示される名称表示欄８１０と、ＣＭＹＫＲＧＢの７色のなかからゲインカーブ作成の対象となる色を選択する補正色選択部８２０が設けられており、補正色選択部８２０にはＣＭＹＫＲＧＢの７色それぞれを選択するための７つのチェックボックス８２１が用意されている。これらのチェックボックス８２１のうちチェックされたチェックボックスが対応する色については、カーブ編集欄８３０でゲインカーブの編集が可能となる。
【００８２】
カーブ編集欄８３０の横軸はゲイン調整の対象ソースの値を０％から１００％として表しており、縦軸は、各ソース値に対する調整値を表している。カーブ編集欄８３０には、編集可能なゲインカーブ８３１が示されており、このゲインカーブ８３１上の調整ポイント８３２がドラッグアンドドロップされることによってゲインカーブ８３１が編集される。調整ポイント８３２の相互間における調整値は曲線補間によって自動計算される。また、ゲインカーブ８３１上で右クリックすることによって調整ポイント８３２を増やすこともできる。
【００８３】
このようにカーブ編集欄８３０でゲインカーブが編集された後で別名保存ボタン８４０がクリックされると、そのゲインカーブの新たな名称が求められ、その新たな名称でゲインカーブが保存され、保存ボタン８５０がクリックされると元の名称でゲインカーブが保存される。また、キャンセルボタン８６０がクリックされると未保存の編集内容が取り消される。
【００８４】
図８は、セットアップ編集画面を示す図である。
【００８５】
このセットアップ編集画面９００には、画像の明度レンジを補正するレンジ補正の設定を行うレンジ設定部９１０と、Ｋ版の制御カーブを設定するＫ版制御部９２０が設けられており、各設定部のチェックボックス９１１，９２１がクリックされることによって各設定部がアクティブとなる。
【００８６】
レンジ設定部９１０には、ハイライト側の色相をニュートラルグレーに近づける色カブリ補正の程度を選択的に設定する色カブリ補正設定欄９１２と、画像の分析によって得られるハイライトポイントに対する目標値の変更をアクティブにするハイライトチェックボックス９１３と、ハイライトポイントに対する目標値を既定値に対して変更する変更量を設定する３つのハイライト調整欄９１４と、画像の分析によって得られるシャドーポイントに対する目標値の変更をアクティブにするシャドーチェックボックス９１５と、シャドーポイントに対する目標値を既定値に対して変更する変更量を設定する３つのシャドー調整欄９１６と、入力ソース側の最も暗い点を、出力側のＣＭＹＫ色空間における最も暗い点へと色変換する黒点補正を選択するための黒点チェックボックス９１７が設けられている。
【００８７】
また、Ｋ版制御部９２０には、Ｃ版の値に対するＫ版の値という形式でＫ版の制御カーブ９２２が示されており、この制御カーブ９２２上の調整ポイント９２３がドラッグアンドドロップされることによって制御カーブ９２２が変更される。調整ポイント９２３の相互間は曲線補間によって制御カーブ９２２が自動計算される。また、調整ポイント９２３における入力値（Ｃ版の値）と出力値（Ｋ版の値）が入力値表示欄９２４と出力値表示欄９２５に表示される。
【００８８】
セットアップ編集画面９００の右下にはＯＫボタン９３０とキャンセルボタン９４０が設けられており、ＯＫボタン９３０がクリックされると、このセットアップ編集画面９００で編集されたセットアップの定義が保存され、キャンセルボタン９４０がクリックされると、セットアップの定義が保存されずに編集が終了する。
【００８９】
以上説明した各種のＧＵＩが用いられることによって、本実施形態ではジョブチケットの自由な設定が可能であり、設定されたジョブチケットが用いられることによって、複数の入力データに対して好みの色修正が容易に施されることとなる。
【００９０】
なお、上記説明では、本発明にいう第１の色変換定義および第２の色変換定義の一例として入力プロファイル及び出力プロファイルが示されているが、本発明にいう第１の色変換定義および第２の色変換定義は、双方とも入力プロファイルであってもよく、あるいは出力プロファイルであってもよい。
【００９１】
また、上記説明では、本発明にいう補正定義やゲイン定義の一例がジョブチケットに含まれている例が示されているが、本発明にいう補正定義やゲイン定義はジョブチケットなどとは別に用意されたものであってもよい。
【００９２】
また、上記説明では、レンジ補正やゲイン調整がリンクプロファイルの作成時に実行される例が示されているが、本発明におけるレンジ補正やゲイン調整は、リンクプロファイルの作成とは別に実行されてもよい。
【図面の簡単な説明】
【００９３】
【図１】本発明の一実施形態が適用された入力＿編集＿出力システムの全体構成図である。
【図２】図１に示す色変換サーバに代表されるコンピュータシステムのハードウェア構成図である。
【図３】入力＿編集＿出力システム上に本発明の色変換システムの一実施形態を構築するための各プログラムを記憶した記憶媒体を示す図である。
【図４】図１に示す入力＿編集＿出力システム上に構築された本発明の色変換システムの一実施形態の機能を示す機能ブロック図である。
【図５】ジョブチケットの編集画面を示す図である。
【図６】カラー設定の詳細画面を示す図である。
【図７】ゲインカーブ編集画面を示す図である。
【図８】セットアップ編集画面を示す図である。
【符号の説明】
【００９４】
１０    フレキシブルディスク
２０    ＣＤ−ＲＯＭ
３０    プログラム記憶媒体
４０    ジョブチケット編集プログラム
５０    色変換プログラム
５１    入力処理部
５５    出力処理部
５６    制御部
６０    色処理部
６１    リンクプロファイル作成部
６２    色処理実行部
１００    色変換サーバ
１２０    ジョブチケット記憶装置
１２１    ジョブチケット
１３０    色変換装置
１３１    入力処理部
１３５    出力処理部
１３６    制御部
１３７    プロファイル記憶部
１４０    色処理部
１４１    リンクプロファイル作成部
１４２    色処理実行部
２００，２１０，２２０    クライアントマシン
２５０    ジョブチケット編集装置
３００，３１０    ＲＩＰサーバ
４００    スキャナ
５００    通信回線
６００，６１０，６２０    プリンタ
７００    ジョブチケット編集画面
８００    ゲインカーブ編集画面
９００    セットアップ編集画面
【図１】
2005244607.tif 000003
【図２】
2005244607.tif 000004
【図３】
2005244607.tif 000005
【図４】
2005244607.tif 000006
【図５】
2005244607.tif 000007
【図６】
2005244607.tif 000008
【図７】
2005244607.tif 000009
【図８】
2005244607.tif 000010